【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
通信システムであって、
端末装置（ＭＳ）と他の装置との間で、パケットの通信を中継する通信装置を備え、
前記通信装置は、
前記通信装置に接続している複数の呼についての、呼種別かつサービス毎の、割当て帯域、ＭＳ数、総割当て帯域を記憶する第１テーブルと、
前記呼種別かつサービス毎の、接続ＭＳ数、重み値、輻輳制御対象の優先度を表す第１インデックスを記憶する第２テーブルと、
輻輳制御を実行するための処理部と
を備え、
前記処理部は、前記第１テーブルに基づいて前記通信装置が輻輳状態にあると判定した場合、前記第２テーブルに基づいて、呼種別かつサービス毎に、接続ＭＳ数と重み値との積によって第１インデックスを算出し、前記第１インデックスの大きさの順に呼種別かつサービスに対して優先的に輻輳制御対象として選択し、
前記処理部は、輻輳制御対象として選択された呼種別かつサービスに対応するひとつ又は複数のＭＳに対して優先的に輻輳制御を実施する通信システム。
【請求項２】
請求項１に記載の通信システムにおいて、
前記処理部は、接続要求を示すメッセージを受信し、又は、輻輳制御に関するコマンドを入力し、又は、輻輳制御に関する状態若しくは障害を検出し、
前記処理部は、前記メッセージ又は前記コマンド又は前記状態若しくは前記障害により、呼種別かつサービスを識別し、前記第１テーブルにおける、前記呼種別かつ前記サービスのＭＳ数を増加し、
前記処理部は、前記第１テーブルを基に、呼種別かつサービス毎に、割り当て帯域と、ＭＳ数との積により、呼種別かつサービス毎の総割当て帯域を計算して前記第１テーブルに記憶し、
前記処理部は、前記第１テーブルを参照し、前記通信装置に接続している複数の呼についての前記総割当て帯域を合計して合計値を計算し、前記合計値が予め設定された閾値を超えているか判定し、
前記判定結果が前記閾値以上になっていない場合、前記処理部は、前記通信装置が輻輳解除状態にあると判定し、前記判定結果が前記閾値以上になった場合、前記処理部は、前記通信装置が輻輳状態にあると判定し、
前記処理部は、輻輳制御を実施した結果による呼種別かつサービス毎の割当て帯域及び／又はＭＳ数を求め、呼種別かつサービスに対応して該割当て帯域及び／又は該ＭＳ数を前記第１テーブルに記憶する通信システム。
【請求項３】
請求項１または請求項２に記載の通信システムにおいて、
呼種別かつサービス毎に、接続ＭＳ数の上限値、制限帯域、輻輳制御対象のひとつ又は複数のＭＳの選択種別を記憶する第３テーブル
をさらに備え、
前記処理部は、輻輳制御を実施する際、前記第３テーブルを参照し、輻輳制御対象として選択された呼種別かつサービスに対応する選択種別を求め、前記選択種別に従い、接続ＭＳ数の上限値及び／又は制限帯域に収まるようにひとつ又は複数のＭＳに対して優先的に輻輳制御を実施することを特徴とする通信システム。
【請求項４】
請求項３に記載の通信システムにおいて、
前記選択種別は、
「ＭＳ毎の通信量」に基づく方法、
「ＭＳ数とセルスループットの比に基づく基地局（ＢＳ）の混雑度」に基づく方法、
「ＭＳの総送信スループットとセルスループットの比に基づくＢＳの混雑度」に基づく方法、
「ＭＳの無線受信強度」に基づく方法、
「サービスの開始時刻」に基づく方法、
「サービスの開始要求時刻」に基づく方法、
「全てのＭＳを対象とする」方法、
「ＭＳをランダムに選択する」方法、
輻輳制御対象の候補として選択されたＭＳ全てに一律輻輳制御を実施する方法、
輻輳制御対象の候補として選択されたＭＳの中からランダムに輻輳制御の対象とするＭＳを選択する方法
のうち、いずれか複数を含み、
前記処理部は、求めたいずれかの選択種別による方法に従い、輻輳制御を実施することを特徴とする通信システム。
【請求項５】
請求項３に記載の通信システムにおいて、
呼種別かつサービス毎に接続しているＭＳを示す第４テーブル
をさらに備え、
前記輻輳制御対象のひとつ又は複数のＭＳの選択種別が、「ＭＳ毎の通信量」に基づく方法である場合、
前記処理部は、接続された呼種別かつサービスに対応するひとつ又は複数のＭＳに対して優先的に輻輳制御を実施することを特徴とする通信システム。
【請求項６】
請求項３に記載の通信システムにおいて、
ＭＳ毎に、通信量、ＭＳ毎の特性に基づく予め定められたＭＳ重み値、ＭＳ毎の輻輳制御対象インデックスを記憶する第５テーブル
をさらに備え、
前記輻輳制御対象のひとつ又は複数のＭＳの選択種別が、「ＭＳ毎の通信量」に基づく方法である場合、
前記処理部は、前記処理部で計測しているＭＳ毎の通信量と、ＭＳ毎の特性に基づく前記ＭＳ重み値との積によって、ＭＳ毎の輻輳制御対象インデックスを算出し、該インデックスの値が大きいＭＳに対して優先的に輻輳制御を実施することを特徴とする通信システム。
【請求項７】
請求項３に記載の通信システムにおいて、
前記通信装置と接続される基地局（ＢＳ）毎に、前記ＢＳが接続しているひとつ又は複数のＭＳを記憶する第６テーブルと、
前記通信装置と接続されるＢＳに対して、混雑度に基づく予め定められたＢＳ閾値、ＢＳの混雑度に基づく予め定められた重み値を記憶する第７テーブルと、
前記輻輳制御対象のひとつ又は複数のＭＳの選択方法が、「ＢＳの混雑度」に基づく方法である場合、
前記処理部は、前記第７テーブルを参照して、各ＢＳに接続する複数のＭＳの総送信スループットとＢＳのセルスループットとの比、又は、各ＢＳに接続するＭＳの数とＢＳのセルスループットとの比と、前記ＢＳ閾値とを比較して、ＢＳ重み値を求め、該ＢＳ重み値の高いＢＳを特定し、
前記処理部は、前記第６テーブルを参照して、特定した前記ＢＳに接続するひとつ又は複数のＭＳに対して優先的に輻輳制御を実施することを特徴とする通信システム。
【請求項８】
請求項３に記載の通信システムにおいて、
ＭＳ毎に、無線受信強度、及び／又は、基地局（ＢＳ）の無線通信品質に基づくＭＳ重み値、ＭＳ毎の輻輳制御対象インデックスが記憶される第８テーブルを
さらに備え、
前記輻輳制御対象のひとつ又は複数のＭＳの選択方法が、「ＭＳの無線受信強度」に基づく方法である場合、
前記処理部は、ＢＳから取得した各ＭＳの無線受信強度と前記ＭＳ重み値との積によって、ＭＳ毎の輻輳制御対象インデックスを算出し、該インデックスの値が大きいＭＳに対して優先的に輻輳制御を実施することを特徴とする通信システム。
【請求項９】
請求項３に記載の通信システムにおいて、
前記輻輳制御対象のひとつ又は複数のＭＳの選択方法が、「サービスの開始時刻」又は「サービスの開始要求時刻」に基づく方法である場合、
前記処理部は、各ＭＳのサービス開始時刻又は開始要求時刻に基づいて、優先的に輻輳制御を実施することを特徴とする通信システム。
【請求項１０】
請求項３に記載の通信システムにおいて、
輻輳解除状態、輻輳が予見される状態、輻輳状態を含む複数の状態毎に、状態閾値を登録する第９テーブルと、
前記状態に対応する複数の前記第３テーブルと
を備え、
前記処理部は、前記総割当て帯域を合計した前記合計値と各々の前記状態閾値とを比較して、状態を判定し、
前記処理部は、判定された前記状態に対応する前記第３テーブルを参照し、前記輻輳制御を実施することを特徴とする通信システム。
【請求項１１】
請求項３に記載の通信システムにおいて、
輻輳状態及び／又は輻輳検出契機に対応する状態を登録する第１０テーブルと、
前記状態に対応する複数の前記第３テーブル
を備え、
前記処理部は、輻輳状態及び／又は輻輳検出契機の検出に従い、状態を判定し、
前記処理部は、判定された前記状態に対応する前記第３テーブルを参照し、前記輻輳制御を実施することを特徴とする通信システム。
【請求項１２】
請求項１に記載の通信システムにおいて、
前記処理部は、
前記通信装置の保守管理装置から、前記通信装置の輻輳状態又は輻輳解除状態を示すコマンドを入力又は検出する機能、
前記通信装置の輻輳状態又は輻輳解除状態を示すメッセージを受信する機能
ＭＳ又は対向ノード又は他の装置から、輻輳状態又は輻輳解除状態を示すコマンド又はメッセージを受信する機能、
対向ノードの輻輳状態又は輻輳解除状態又は障害を検出する機能
のうち、いずれかひとつ又は複数の機能を備え、
前記処理部は、いずれかひとつ又は複数の機能により、前記輻輳制御を実施することを特徴とする通信システム。
【請求項１３】
請求項２に記載の通信システムにおいて、
前記処理部は、制限すべき帯域の目標値が予め定められている場合には、輻輳制御を実施した後の前記第１テーブルを参照し、前記目標値が達成されていなければ、前記輻輳制御対象として選択し、前記輻輳制御を実施し、及び、前記第１テーブルに記憶することを、繰り返し実行することを特徴とする通信システム。
【請求項１４】
請求項１に記載の通信システムにおいて、
前記呼種別は、緊急呼、優先呼、優先度の高い一般呼、優先度の低い一般呼、その他の種別の呼のうちの複数を含むことを特徴とする通信システム。
【請求項１５】
通信装置であって、
前記通信装置は、端末装置（ＭＳ）と他の装置との間で、パケットの通信を中継し、
前記通信装置は、
前記通信装置に接続している複数の呼についての、呼種別かつサービス毎の、割当て帯域、ＭＳ数、総割当て帯域を記憶する第１テーブルと、
前記呼種別かつサービス毎の、接続ＭＳ数、重み値、輻輳制御対象の優先度を表す第１インデックスを記憶する第２テーブルと、
輻輳制御を実行するための処理部と
を備え、
前記処理部は、前記第１テーブルに基づいて前記通信装置が輻輳状態にあると判定した場合、前記第２テーブルに基づいて、呼種別かつサービス毎に、接続ＭＳ数と重み値との積によって第１インデックスを算出し、前記第１インデックスの大きさの順に呼種別かつサービスに対して優先的に輻輳制御対象として選択し、
前記処理部は、輻輳制御対象として選択された呼種別かつサービスに対応するひとつ又は複数のＭＳに対して優先的に輻輳制御を実施する通信装置。
【請求項１６】
通信制御方法であって、
端末装置（ＭＳ）と他の装置との間で、パケットの通信を中継する通信装置
を備えた通信システムを用い、
前記通信装置は、
前記通信装置に接続している複数の呼についての、呼種別かつサービス毎の、割当て帯域、ＭＳ数、総割当て帯域を記憶する第１テーブルと、
前記呼種別かつサービス毎の、接続ＭＳ数、呼種別かつサービス毎の特性に基づく予め定められた重み値、輻輳制御対象の優先度を表す第１インデックスを記憶する第２テーブルと、
輻輳制御を実行するための処理部と
を備え、
前記処理部は、前記第１テーブルに基づいて前記通信装置が輻輳状態にあると判定した場合、前記第２テーブルに基づいて、呼種別かつサービス毎に、接続ＭＳ数と重み値との積によって第１インデックスを算出し、前記第１インデックスの大きさの順に呼種別かつサービスに対して優先的に輻輳制御対象として選択し、
前記処理部は、輻輳制御対象として選択された呼種別かつサービスに対応するひとつ又は複数のＭＳに対して優先的に輻輳制御を実施する通信制御方法。